(57)【要約】【課題】  嵩張らないうえに、構造が簡単であって低コスト化が図れる緊急解錠式の錠装置を提供する。【解決手段】  本発明の緊急解錠式の錠装置は、病室などの出入り口１に配置する引き戸２に扉錠３を取り付け、その出入り口１の縁部４に係止金具５を取り付ける。そして、その扉錠３と係止金具５とを鎖６で所定量だけ開放可能な状態で連結する。扉錠３は、鎖６を自重で離脱可能に係止するストッパー２５と、ストッパー２５を駆動する駆動部２６と、非常感知器５４による非常の検知に基づいて無線で発信される緊急信号を受信して駆動部２６へ駆動指示信号を送る通信部２７とを有している。駆動部２６は、駆動指示信号を受けたときには、ストッパー２５による鎖６の係止を解除する。【選択図】  図１
2012207438.tif 000002
【特許請求の範囲】
【請求項１】
出入り口（１）に配置する扉（２）およびその出入り口（１）の縁部（４）のいずれか一方に扉錠（３・６２）を取り付け、他方に係止金具（５）を取り付け、その扉錠（３・６２）と係止金具（５）とを連結部材（６）で所定量だけ開放可能な状態で連結することで施錠する錠装置であって、
扉錠（３・６２）は、連結部材（６）を自重で離脱可能に係止するストッパー（２５・６３）と、そのストッパー（２５・６３）を駆動する駆動部（２６・６４）と、非常感知器（５４）による非常の検知に基づいて無線で発信される緊急信号を受信して駆動部（２６・６４）へ駆動指示信号を送る通信部（２７・６５）とを有しており、
駆動部（２６・６４）は、駆動指示信号を受けたときには、ストッパー（２５・６３）による連結部材（６）の係止を解除することを特徴とする緊急解錠式の錠装置。
【請求項２】
連結部材（６）には係止具（１０・６６）を備えており、
ストッパー（２５・６３）は、前記係止具（１０・６６）を自重で離脱可能に係止するようになっており、
駆動部（２６・６４）によってストッパー（２５・６３）を後退させたときに、係止具（１０・６６）が扉錠（３・６２）から自重で離脱することを特徴とする請求項１記載の緊急解錠式の錠装置。
【請求項３】
扉錠（３）は、上下方向に延びていて係止具（１０）を抜け止め状態で上下方向に案内する係合溝（１６）を形成しており、
係合溝（１６）の上端には、係止具（１０）に形成した抜止部（１４）を扉錠（３）の内部空間（１５）内に挿入するための挿入孔（１７）を形成しており、
係合溝（１６）の下端には、係止具（１０）の抜止部（１４）を前記内部空間（１５）内から排出するための排出孔（１８）を形成しており、
係合溝（１６）に臨む位置であって排出孔（１８）の上側となる位置に、係止具（１０）を受け止めて係止するためのストッパー（２５）を配置しており、
ストッパー（２５）が後退して係止具（１０）から離れたときに、係止具（１０）が排出孔（１８）側へ自重で移動して抜止部（１４）が排出孔（１８）から扉錠（３）外へ排出されることを特徴とする請求項２記載の緊急解錠式の錠装置。
【請求項４】
係止金具（５）は、連結部材（６）を連結している係止部（４７）の高さが扉錠（３・６２）に係止されている係止具（１０・６６）よりも低くなる位置に取り付けていることを特徴とする請求項２または３記載の緊急解錠式の錠装置。
【請求項５】
扉錠（３）内であって係合溝（１６）の挿入孔（１７）に臨む位置には、バネ（２４）によって挿入孔（１７）側へ付勢されている蓋部材（２２）を配置していることを特徴とする請求項３記載の緊急解錠式の錠装置。
【請求項６】
連結部材（６）には、施錠状態で扉（２）が開放されたときの衝撃を緩和するための緩衝部材（５６）を設けていることを特徴とする請求項１乃至５のいずれかに記載の緊急解錠式の錠装置。
【請求項７】
疑似緊急信号を無線で発信する発信機を設け、
駆動部（２６・６４）は、前記発信機からの疑似緊急信号を受けたときに、ストッパー（２５・６３）による連結部材（６）の係止を解除するようにしたことを特徴とする請求項１乃至６のいずれかに記載の緊急解錠式の錠装置。
【発明の詳細な説明】
【技術分野】
【０００１】
本発明は、病院や住宅の屋内などに設けた出入り口を開閉する扉に配置され、火事や地震などの緊急時には、強制的、且つ、自動的に解錠する緊急解錠式の錠装置に関するものである。
【背景技術】
【０００２】
近年、高齢の入院患者が徘徊することによって病院から無断で外出し、その患者が事故などに遭うことが問題になっている。この対策としては、例えば、夜間において前記徘徊の虞のある患者の病室の出入り口の扉を施錠して、病院からの無断外出を防止することが考えられる。
【０００３】
ところが、通常の錠装置は扉を全閉にしなければ施錠できないために、看護師が病室内の患者の様子を見ようとする際などには、解錠したのちに扉を開かなければならないことになる。このため、看護師は、常に鍵を持っておく必要があるうえに、解錠の手間が煩わしいことになる。また、患者にあっても、閉じ込められているといった印象を持つ虞がある。
【０００４】
この場合、前記錠装置に代えて、例えば病室の扉にドアチェーンを取り付けておくと、ドアチェーンを掛けた施錠状態で看護師が扉をわずかに開けて、病室内の患者の様子を見ることができることになる。また、患者にあっても、換気などの際には扉をわずかに開けることができ、閉じ込められているといった印象を持ち難くなる。
【０００５】
かかるドアチェーンを用いた場合でも、病室に出入りするためには当該ドアチェーンを外さなければならない。このため、火事や地震などの緊急時に、病室から迅速に出られないことになる。
【先行技術文献】
【特許文献】
【０００６】
【特許文献１】特開平１１−３０３４７６号公報
【発明の概要】
【発明が解決しようとする課題】
【０００７】
これに対して、特許文献１には、地震検知手段からの解錠信号に基づいてドアチェーンを自動的に外すものが記載されている。これによれば地震などの際には、患者が扉を開いて病室から迅速に脱出できることになる。ところが、特許文献１に記載の錠装置にあっては、嵩張って見掛けが悪いうえに、構造が複雑であるために高コストになるといった問題がある。
【０００８】
本発明は、かかる不都合を解決することを目的とするものであり、嵩張らないうえに、構造が簡単であって低コスト化が図れる緊急解錠式の錠装置を提供することにある。
【課題を解決するための手段】
【０００９】
本発明は、前記不都合を解決するものである。すなわち本発明は、出入り口１に配置する扉２およびその出入り口１の縁部４のいずれか一方に扉錠３・６２を取り付け、他方に係止金具５を取り付け、その扉錠３・６２と係止金具５とを連結部材６で所定量だけ開放可能な状態で連結することで施錠する錠装置であって、扉錠３・６２は、連結部材６を自重で離脱可能に係止するストッパー２５・６３と、ストッパー２５・６３を駆動する駆動部２６・６４と、非常感知器５４による非常の検知に基づいて無線で発信される緊急信号を受信して駆動部２６・６４へ駆動指示信号を送る通信部２７・６５とを有しており、駆動部２６・６４は、駆動指示信号を受けたときには、ストッパー２５・６３による連結部材６の係止を解除することを特徴とする。
【００１０】
本発明の緊急解錠式の錠装置は、病院や住宅などの屋内に設けた出入り口１に配置することが望ましいが、それ以外の出入り口１、例えば屋外への出入り口１に配置することも可能である。扉２としては、横方向にスライドさせて開閉する引き戸や、前後方向に開閉する開き戸などが該当する。緊急信号は、扉錠３・６２が非常感知器５４から直接受信してもよく、例えば中継としての管理装置５３を介して受信してもよい。非常感知器５４としては、無線式の煙感知器、火災検知器（熱検知器）、地震検知器、および台風などの非常時を検知するための雨検知器や風検知器などが該当する。連結部材６としては、鎖やバー（棒状体）などが該当する。ここでのストッパー２５・６３は、連結部材６を直接受け止めるものであってもよく、連結部材６に設けた係止具１０・６６を受け止めるものであってもよい。所定量としては、例えば１０ｃｍが該当する。
【００１１】
詳しくは、連結部材６には係止具１０・６６を備えており、ストッパー２５・６３は、係止具１０・６６を自重で離脱可能に係止するようになっており、駆動部２６・６４によってストッパー２５・６３を後退させたときに、係止具１０・６６が扉錠３・６２から自重で離脱するようになっている。
【００１２】
具体的な構成としては、扉錠３は、上下方向に延びていて係止具１０を抜け止め状態で上下方向に案内する係合溝１６を形成しており、係合溝１６の上端には、係止具１０に形成した抜止部１４を扉錠３の内部空間１５内に挿入するための挿入孔１７を形成しており、係合溝１６の下端には、係止具１０の抜止部１４を前記内部空間１５内から排出するための排出孔１８を形成しており、係合溝１６に臨む位置であって排出孔１８の上側となる位置に、係止具１０を受け止めるためのストッパー２５を配置しており、ストッパー２５が後退して係止具１０から離れたときに、係止具１０が排出孔１８側へ自重で移動して抜止部１４が排出孔１８から扉錠３外へ排出されるものとすることができる。
【００１３】
係止金具５は、連結部材６を連結している係止部４７の高さが扉錠３・６２に係止されている係止具１０・６６よりも低くなる位置に取り付けている。
【００１４】
また、扉錠３内であって係合溝１６の挿入孔１７に臨む位置には、バネ２４によって挿入孔１７側へ付勢されている蓋部材２２を配置しているものであってもよい。
【００１５】
連結部材６には、施錠状態で扉２が開放されたときの衝撃を緩和するための緩衝部材５６を設けてもよい。緩衝部材５６は、連結部材６の端に設けてもよく、連結部材６の長さ方向の中間に設けてもよい。
【００１６】
疑似緊急信号を無線で発信する発信機を設け、駆動部２６・６４は、発信機からの疑似緊急信号を受けたときに、ストッパー２５・６３による連結部材６の係止を解除するようにしてもよい。
【発明の効果】
【００１７】
本発明の緊急解錠式の錠装置は、平常時には、ストッパー２５・６３によって連結部材６が係止されている。そして、火事や地震などの非常時には、非常感知器５４による当該非常の検知に基づいて緊急信号が発せられ、その緊急信号を扉錠３・６２の通信部２７・６５が受信すると、駆動部２６・６４は、ストッパー２５・６３による連結部材６の係止を解除する。これによって、連結部材６が自重で扉錠３・６２から外れて解錠される。
【００１８】
このように、火事や地震などの非常時には、連結部材６が扉錠３・６２から外れて解錠されるので、前記非常時には、室内の者が扉２を確実に開いて脱出できることになる。そのうえで、本発明の錠装置は、ストッパー２５・６３による連結部材６の係止を解除するだけで連結部材６が自重で扉錠３・６２から外れるといった簡単な構造であるために、錠装置を嵩張らない構成にできて当該錠装置の見掛けを良くできるうえに、錠装置の低コスト化が図れる。
【００１９】
ストッパー２５・６３が連結部材６の係止具１０・６６を係止するようになっていると、例えば鎖状の連結部材６であっても、その連結部材６を係止具１０・６６を介して確実に係止することができる。
【００２０】
連結部材６の係止具１０の抜止部１４を挿入孔１７から扉錠３の内部空間１５内に挿入することで、係止具１０が抜け止め状態で係合溝１６に案内されてストッパー２５に受け止められるようにすると、係止具１０の抜止部１４を挿入孔１７に挿入するといった簡単な操作で施錠することができる。加えて、火事や地震などの非常時にストッパー２５が後退したときには、抜止部１４が排出孔１８から扉錠３外へ自重で排出されて解錠されるので、構造を簡単にできながら確実に解錠することができる。
【００２１】
係止金具５の係止部４７の高さが、扉錠３・６２に係止されている係止具１０・６６よりも低くなっていると、例えば施錠した状態で扉２を過度の力で開いたために連結部材６が突っ張っても、その連結部材６の引っ張り力によって連結部材６には下方向の力が生じる。従って、前記連結部材６が突っ張った状態でストッパー２５・６３を後退させたときには、係止具１０・６６が自重および前記下方向の力によって扉錠３・６２から離脱する（抜け落ちる）。
【００２２】
係合溝１６の挿入孔１７に、バネ２４によって挿入孔１７側へ付勢する蓋部材２２を臨ませて配置していると、係止具１０の抜止部１４で蓋部材２２をバネ２４の付勢力に抗して押し込んだのち、係止具１０をストッパー２５側に移動させたときには、蓋部材２２がバネ２４の付勢力によって挿入孔１７を閉じ状態にする。これによって係止具１０の抜止部１４が挿入孔１７から不用意に抜け出ることを防止できる。なお、蓋部材２２をバネ２４の付勢力に抗して押し込むことで、係止具１０の抜止部１４を挿入孔１７から取り出すことも可能である。
【００２３】
連結部材６に、施錠状態で扉２が開放されたときの衝撃を緩和するための緩衝部材５６を設けると、施錠状態で連結部材６が引っ張られたときに、その引っ張りによる衝撃が係止金具５や扉錠３に直接加わることを緩和することができる。
【００２４】
発信機からの疑似緊急信号を受けたときに連結部材６の係止を解除すると、緊急時には発信機によって迅速に解錠して室内へ入ることができる。また、定期検査（例えば一ヶ月ごと）の際に発信機によって扉錠３の動作確認を行うことができる。
【図面の簡単な説明】
【００２５】
【図１】本発明の第１実施例の緊急解錠式の錠装置を配置した扉の正面図である。
【図２】第１実施例の緊急解錠式の錠装置の正面図である。
【図３】図２のＡ―Ａ線矢視断面図である。
【図４】図３のＣ―Ｃ線矢視断面図である。
【図５】駆動カムの動作を説明するための図４相当図である。
【図６】図３のＤ―Ｄ線矢視断面図である。
【図７】リミットカムの動作を説明するための図６相当図である。
【図８】扉錠の本体部のブロック構成図である。
【図９】図２のＢ―Ｂ線矢視断面図である。
【図１０】第１実施例の錠装置の作用を説明するための扉の正面図である。
【図１１】緊急解除システムのブロック構成図である。
【図１２】本発明の第２実施例の緊急解錠式の錠装置の要部を示す断面図である。
【図１３】第２実施例の錠装置の作用を説明するための要部断面図である。
【図１４】本発明の第３実施例の緊急解錠式の錠装置を示す扉の正面図である。
【図１５】図１４のＥ―Ｅ線矢視断面図である。
【発明を実施するための形態】
【００２６】
（第１実施例）  本発明に係る緊急解錠式の錠装置の第１実施例を図ないし図１１に基づいて説明する。本発明の錠装置は、図１に示すように、病室などの出入り口１に配置する引き戸（扉）２に取り付ける扉錠３と、前記出入り口１の縁部４に取り付ける係止金具５と、その係止金具５と扉錠３とを所定量（例えば１０ｃｍ）だけ開放可能な状態で連結して施錠するための鎖（連結部材）６とを有している。
【００２７】
扉錠３は、図２および図３に示すように、引き戸２にビスなどで取り付けている本体部８と、この本体部８の前面(図３では左側)にビスなどで取り付けている係合部９とを有する。本体部８の外装７は、少なくとも一部が合成樹脂などの電波が透過可能な材質で形成してある。
【００２８】
係合部９は、前記鎖６の他端に備えている円柱形状の係止具１０を上下移動可能に係止する。係止具１０は、鎖６の一端を連結している円環状の連結リング１１と、その連結リング１１を貫通させて係止している円柱形状の把持部１２と、その把持部１２の後端(図３では右側)に形成している鍔部１２ａから後方に延びる円柱形状の首部１３と、その首部１３の後端に形成している円板形状の抜止部１４とからなる。首部１３の直径は、抜止部１４および把持部１２の鍔部１２ａの直径よりも小さくなっている。
【００２９】
係合部９は、上下方向に長く（縦長に）なっており、その中央部が前方に隆起することで、その膨張部９ａ内、つまり扉錠３内に縦長の内部空間１５を形成している。係合部９の膨張部９ａの前面には、上下方向に延びていて、係止具１０を抜け止め状態で上下方向に案内する係合溝１６を形成しており、その係合溝１６の上端には、係止具１０の抜止部１４を前記内部空間１５内に挿入するための円形状の挿入孔１７を形成している。その挿入孔１７の直径は、抜止部１４の直径よりも大きくなっている。
【００３０】
係合溝１６の左右の幅は、係止具１０の首部１３の直径よりも大きくなっている一方で、抜止部１４および把持部１２の鍔部１２ａの直径よりも小さくなっている。これによって係止具１０の抜止部１４を挿入孔１７から係合部９の内部空間１５内に挿入して、首部１３を係合溝１６に嵌め込んだときには、抜止部１４が係合溝１６から前方へ抜け出ないことになる。
【００３１】
係合溝１６の下端には、係止具１０の抜止部１４を前記内部空間１５内から排出するための排出孔１８を形成している。排出孔１８の左右の幅は、抜止部１４の直径よりも大きくなっている。排出孔１８の下端には、係合部９の前面から後方へ折り曲げ形成したガイド部２０を設けており、そのガイド部２０によって係止具１０の抜止部１４が自重で扉錠３外へ案内される。
【００３２】
係合溝１６の挿入孔１７は、開閉部２１によって開閉される。その開閉部２１は、内部空間１５側であって挿入孔１７に臨む位置に配置している蓋部材２２と、その蓋部材２２の上端部に固定していて前端側が係合部９外へ突出している釦２３と、その釦２３および蓋部材２２を前方（挿入孔１７側）へ付勢するバネ２４とからなる。そして、係止具１０の抜止部１４で蓋部材２２をバネ２４の付勢力に抗して後方へ押し込むことで挿入孔１７が開いて、当該抜止部１４を係合部９の内部空間１５内に挿入できる。また、釦２３をバネ２４の付勢力に抗して後方へ押し込むことで蓋部材２２が後方へ移動し、これによって係合溝１６の挿入孔１７が開いて、内部空間１５内の抜止部１４を挿入孔１７から取り出すことができる。
【００３３】
前記内部空間１５内において、係合溝１６に臨む位置であって排出孔１８の上側となる位置に、係止具１０を受け止めて係止するための円柱形状のストッパー２５を配置している。ストッパー２５は、本体部８から前記内部空間１５内へ突出しており、前後方向に移動可能になっている。そして、ストッパー２５は、前方へ突出している状態で係止具１０の抜止部１４を受け止めて係止（保持）し（図３の状態）、後方すなわち本体部８内へ後退して係止具１０から離れたときに、係止具１０の抜止部１４の係止状態を解除する。これによって係止具１０が排出孔１８側（下側）へ自重で移動して、抜止部１４が排出孔１８から扉錠３外へ排出される。つまり、ストッパー２５は、鎖６を自重で扉錠３から離脱可能に係止する。
【００３４】
本体部８は、図３および図８に示すように、前記ストッパー２５を前後方向へ駆動するための駆動部２６と、後述する緊急信号を受信して駆動部２６へ駆動指示信号を送る通信部２７と、駆動部２６および通信部２７の電源としての電池２８とを有する。通信部２７は、受信アンテナ（図示せず）などを有していて、後述する管理装置５３から無線で送信される緊急信号を受信する。電池２８としては、一次電池、二次電池および太陽電池などが該当する。
【００３５】
本体部８の駆動部２６は、ストッパー２５を駆動するためのモータ３１と、そのモータ３１の回転軸に減速ギヤ機構（図示せず）を介して連結していて、当該モータ３１によって回転駆動される駆動カム３２およびリミットカム３３と、リミットカム３３によってオンオフ操作されるリミットスイッチ３４と、前記通信部２７からの駆動指示信号を受けてモータ３１を駆動する制御部３５とを有する。ストッパー２５は、そのストッパー２５を前方へ付勢するバネ３７と共にブラケット３８内に収容しており、そのブラケット３８は、本体部８の前板８ａの内面側（図３では右側）に取り付けている。ストッパー２５は、ブラケット３８の前面の開口および本体部８の前板８ａに設けた孔を介して係合部９の内部空間１５内に突出している。
【００３６】
ストッパー２５の下面には、下方へ延びるピン３９を設けており、そのピン３９は、図３および図４に示すように、ブラケット３８の下面に形成している長孔４０を介してブラケット３８の下方に突出している。その長孔４０は前後方向に延びている。駆動カム３２は、図４および図５に示すように、円板の周方向の一部に切り欠き４１を形成しており、その切り欠き４１内に前記ピン３９が位置している状態では、ストッパー２５は前方へ突出している（図４の状態）。
【００３７】
そして、モータ３１の駆動により駆動カム３２が回転すると（図４では反時計方向）、前記切り欠き４１の時計方向側の縁４１ａがピン３９をバネ３７の付勢力に抗して後方に押し、これに伴ってストッパー２５が本体部８内へ後退する。さらに駆動カム３２が図４の反時計方向に回転することで、駆動カム３２の周縁３２ｂがピン３９に当接するが（図５の状態）、その際にはピン３９は駆動カム３２によって後方に押された状態のままであるため、ストッパー２５の後退状態が維持される。その後、駆動カム３２が、切り欠き４１がピン３９に臨む位置まで回転すると、バネ３７の付勢力によりストッパー２５が前方へ突出する（図４の状態）。
【００３８】
リミットカム３３は、図６および図７に示すように、ベース面４３からカム山４４が隆起しており、駆動カム３２の切り欠き４１内にピン３９が位置している状態では、リミットカム３３のカム山４４がリミットスイッチ３４のレバー４５を押している（図６の状態）。この状態でリミットスイッチ３４は、例えばオンしている。
【００３９】
そして、駆動カム３２が図４の反時計方向に回転することに連動して、リミットカム３３が図６の反時計方向に回転し、これに伴ってリミットカム３３のカム山４４がリミットスイッチ３４のレバー４５から離れ（図７参照）、リミットスイッチ３４がオフになる。その後、駆動カム３２の切り欠き４１がピン３９に臨む位置まで回転したときには、リミットカム３３のカム山４４がリミットスイッチ３４のレバー４５を押し、リミットスイッチ３４がオンする。リミットスイッチ３４は、制御部３５に接続していて（図８参照）、制御部３５は、前記リミットスイッチ３４がオフからオンになると、モータ３１を停止する。これにより、ストッパー２５が前方へ突出した状態で維持される。なお、リミットスイッチ３４は、レバー４５が押されるとオンからオフになるものであってもよい。
【００４０】
係止金具５は、図２および図９に示すように、上下方向に延びる長板で形成しており、ビスなどによって出入り口１の縁部４に取り付けている。係止金具５は、その上下方向の中間を前方に隆起することで係止部４７を形成している。そして、係止部４７には、鎖６の他端を連結している。係止部４７の上端部４８は、前方に折れ曲がった状態で二股状に分かれており、その上端部４８に、係止具１０を掛けて保持することが可能になっている（図２の仮想線図参照）。
【００４１】
係止金具５は、図２に示すように、係止部４７の高さがストッパー２５で受け止められて係止されている係止具１０よりも、例えば寸法Ｌだけ低くなるように縁部４に取り付けている。これにより、例えば施錠した状態で引き戸２を過度の力で開いたために鎖６が突っ張った状態になっても（図１０参照）、その鎖６の引っ張り力によって鎖６には下方向の力が生じ、係止具１０がその自重と前記下方向への力によって排出孔１８側（下側）へ確実に移動して、排出孔１８から排出される。
【００４２】
本発明の錠装置は、複数の病室などの出入り口１に配置されるようになっており、扉錠３が各出入り口１の引き戸２にそれぞれ取り付けられている。各扉錠３は、図１１に示すように、管理装置５３から無線で送信される緊急信号をそれぞれ受信したときに、ストッパー２５を後退させる。すると、ストッパー２５が係止具１０から外れ、係止具１０が、自重で下方へ移動して係合部９の排出孔１８から排出される（解錠する）。これにより、火事や地震などの際には、患者などは引き戸２を開いて病室などから迅速に脱出できることになる。
【００４３】
前記管理装置５３は、複数の無線式の非常感知器５４からの警報信号を受信するようになっており、それらの非常感知器５４の少なくとも一つが警報信号を発信したときに前記緊急信号を各扉錠３へ送信するようになっている。各非常感知器５４は、無線式の煙感知器、火災検知器（熱検知器）、地震検知器、雨検知器および風検知器などが該当し、火事や地震や台風などの非常を検知したときに警報信号を発信する。なお、各扉錠３は、各非常感知器５４からの警報信号（無線信号）を緊急信号として直接受信してもよい。また、各非常感知器５４は管理装置５３へ警報信号を有線で送信し、管理装置５３は、その警報信号に基づいて無線で各扉錠３へ緊急信号を送信してもよい。
【００４４】
このように、火事や地震や台風などの非常の際には、扉錠３が自動的に解錠するので、前記病室内の患者などは迅速に避難することができる。
【００４５】
なお、疑似緊急信号を無線で発信する発信機（図示せず）を備えることで、その発信機によって扉錠３を動作させて解錠するようにしてもよい。これによって、例えば看護師が前記発信機を携帯することで、患者の容体の急変などの緊急時には発信機によって迅速に解錠して病室内へ入ることができる。また、定期検査（例えば一ヶ月ごと）の際に発信機によって扉錠３を動作させて動作確認を行うことができる。
【００４６】
（第２実施例）  本発明に係る緊急解錠式の錠装置の第２実施例を図１２および図１３に基づいて説明する。第２実施例の緊急解錠式の錠装置では、鎖６の中間部に、緩衝部材５６を設けている。その緩衝部材５６は、鎖６の係止金具５側の鎖部６ａに連結しているシリンダ５７と、鎖６の扉錠３側の鎖部６ｂに連結しているピストン５８と、そのピストン５８を係止金具５側へ付勢するコイルバネ５９とを有している。
【００４７】
詳しくは、ピストン５８のロッド５８ａに扉錠３側の鎖部６ｂを連結しており、ピストン５８の鍔部５８ｂとシリンダ５７の扉錠３側の封止板５７ａとの間にコイルバネ５９を配置している。そして、施錠状態で鎖６が引っ張られたときには、コイルバネ５９が収縮して（図１３の状態）、その引っ張りによる衝撃が係止金具５や扉錠３に直接加わることを緩和する。
【００４８】
これによって施錠状態で鎖６が引っ張られたときに、前記引っ張りによる衝撃で係止金具５や扉錠３が破損することなどが低減される。その他の構成については第１実施例と同様であるため、同一機能のものには同一符号を付して説明を省略する。
【００４９】
（第３実施例）  本発明に係る遮緊急解錠式の錠装置の第３実施例を図１４および図１５に基づいて説明する。第３実施例の緊急解錠式の錠装置では、係止金具５を引き戸２に取り付け、出入り口１の縁部４に扉錠６２を取り付けている。その扉錠６２は、ストッパー６３を上下方向へ移動させるための駆動部６４と、緊急信号を受信して駆動部６４へ駆動指示信号を送る通信部６５とを有する。扉錠６２の外装は、少なくとも一部が合成樹脂などの電波が透過可能な材質で形成してある。
【００５０】
係止具６６は、鎖６の一端を連結している円環状の連結リング６７と、その連結リング６７を貫通させて係止している円柱形状の把持部６８と、その把持部６８の後端(図１５では左側)に形成している鍔部６８ａから後方に延びる円柱形状の保持部６９とからなる。保持部６９には、ストッパー６３が嵌合する凹部６９ａを設けている。扉錠６２内であってその扉錠６２の前板６２ａには、係止具６６の保持部６９が差し込まれるブラケット７０を取り付けており、前記ストッパー６３は、ブラケット７０を貫通して、係止具６６の保持部６９の凹部６９ａに嵌合する。ストッパー６３は、バネによって下側へ付勢されている。
【００５１】
係止具６６の保持部６９は、扉錠６２の前板６２ａの孔およびブラケット７０の前面開口を介して当該ブラケット７０内に差し込まれた際には、ストッパー６３は、保持部６９に押されて上側に移動し、係止具６６の保持部６９が奥まで差し込まれると（図１５の状態）、係止具６６の保持部６９の凹部６９ａに嵌合する。これによって係止具６６が扉錠６２に係止される。
【００５２】
その後、管理装置５３から無線で送信される緊急信号を受信したときには、駆動部６４は、ストッパー６３を上方へ後退させて係止具６６の凹部６９ａから外す（図１５の仮想線図参照）。これにより、係止具６６は、ストッパー６３による係止が解除されて、自重で扉錠６２から排出される（離脱する）。
【００５３】
ストッパー６３を移動させる駆動部６４の構成は、第１実施例の駆動部２６と同様であるために説明を省略する。また、第３実施例は、第１実施例と同様に電池を電源にしてもよいが、電源として商用電源を用いてもよい。係止金具５の係止部４７の高さは、扉錠６２に係止されている係止具６６よりも低くなっている。その他の構成については第１実施例と同様であるため、同一機能のものには同一符号を付して説明を省略する。
【００５４】
第３実施例でも、火事や地震や台風などの際には、扉錠６２が自動的に解錠するので、前記病室内の患者などは迅速に避難することができる。なお、第３実施例の鎖６にも、第２実施例の緩衝部材５６を設けることができる。また、第３実施例でも、疑似緊急信号を無線で発信するによって扉錠３を動作させて解錠するようにしてもよい。
【符号の説明】
【００５５】
１  出入り口
２  引き戸
３・６２  扉錠
４  引き戸の縁部
５  係止金具
６  鎖
１０・６６  係止具
１４  抜止部
１５  内部空間
１６  係合溝
１７  挿入孔
１８  排出孔
２２  蓋部材
２４  バネ
２５・６３  ストッパー
２６・６４  駆動部
２７・６５  通信部
４７  係止部
５６  緩衝部材
【図１】
2012207438.tif 000003
【図２】
2012207438.tif 000004
【図３】
2012207438.tif 000005
【図４】
2012207438.tif 000006
【図５】
2012207438.tif 000007
【図６】
2012207438.tif 000008
【図７】
2012207438.tif 000009
【図８】
2012207438.tif 000010
【図９】
2012207438.tif 000011
【図１０】
2012207438.tif 000012
【図１１】
2012207438.tif 000013
【図１２】
2012207438.tif 000014
【図１３】
2012207438.tif 000015
【図１４】
2012207438.tif 000016
【図１５】
2012207438.tif 000017